(57)【要約】【課題】多様なユーザーのニーズに対応することができ、ユーザーにとって使いやすい孔版印刷装置を提供する。【解決手段】複数の画像情報の製版・印刷動作を連続して行う「連続モード」で作動させることができる孔版印刷装置において、予め決めた工程終了後に、製版・印刷動作を中断し、次の動作の指示を待つ「中断モード」で作動させることも選択可能である。【選択図】  図１
2004195683.tif 000002
【特許請求の範囲】
【請求項１】
複数の画像情報の製版・印刷動作を連続して行う連続モードで作動させることができる孔版印刷装置において、
予め決めた工程終了後に、製版・印刷動作を中断し、次の動作の指示を待つ中断モードで作動させることも選択可能であることを特徴とする、孔版印刷装置。
【請求項２】
上記中断モードが選択された場合、各画像情報の所定枚数の印刷が完了するたびに、製版・印刷動作を中断し、次の動作の指示を待つことを特徴とする、請求項１記載の孔版印刷装置。
【請求項３】
上記中断モードが選択された場合、製版・印刷動作を中断したときの次の動作の指示は、表示された複数の動作から選択することにより行うことを特徴とする、請求項１又は２記載の孔版印刷装置。
【請求項４】
上記中断モードが選択された場合、製版・印刷動作を中断したときの次の動作として指示可能な動作は、
所定枚数の印刷が完了した当該画像情報について、もう一度、製版・印刷動作を行う再製版・印刷動作と、
当該画像情報の次の画像情報について、製版・印刷動作を行う継続動作と、
当該画像情報について、さらに印刷動作を行う追加印刷動作と、
すべての画像情報について製版・印刷動作を止める終了動作との少なくとも一つを含むことを特徴とする、請求項１、２又は３記載の孔版印刷装置。
【請求項５】
画像情報を生成する原稿読取手段に原稿を１枚ずつ供給する自動原稿供給装置を備え、
製版・印刷動作の開始前に上記自動原稿供給装置に原稿がセットされたときに、上記連続モード又は上記中断モードの選択を促すことを特徴とする、請求項１乃至４のいずれか一つに記載の孔版印刷装置。
【請求項６】
孔版印刷装置に設けられた操作部材、又は孔版印刷装置に接続された外部機器により、上記連続モード又は上記中断モードの選択と、上記中断モードが選択された場合において製版・印刷動作を中断したときの次の動作の指示との少なくとも一方を行うことができることを特徴とする、請求項１乃至５のいずれか一つに記載の孔版印刷装置。
【請求項７】
複数の画像情報の製版・印刷動作を連続して行うことができる孔版印刷装置において、
製版・印刷動作中にエラーが発生したときには動作を中断し、そのエラーの解除後は予め決めた所定の動作を行う自動復帰モード、又は
製版・印刷動作中にエラーが発生したときには動作を中断し、そのエラーの解除後の動作の指示を待つ手動復帰モードで、選択的に作動させることが可能であることを特徴とする、孔版印刷装置。
【請求項８】
上記手動復帰モードが選択された場合、エラー解除後の動作の指示は、表示された複数の動作から選択することにより行うことを特徴とする、請求項７記載の孔版印刷装置。
【請求項９】
上記手動復帰モードが選択された場合、エラー解除後の動作として指示可能な動作は、
エラー発生時の画像情報について、もう一度、製版・印刷動作を行い、その後、残りの画像情報についても製版・印刷動作を行うリピート動作と、
エラー発生時の画像情報についての製版・印刷動作を止め、残りの画像情報について製版・印刷動作を行うスキップ動作と、
エラー発生時の画像情報について、そのままの版で印刷動作を行い、その後、残りの画像情報について製版・印刷動作を行う継続動作と、
すべての画像情報について製版・印刷動作を止める終了動作との少なくとも一つを含むことを特徴とする、請求項８記載の孔版印刷装置。
【請求項１０】
画像情報を生成する原稿読取手段に原稿を１枚ずつ供給する自動原稿供給装置を備え、
製版・印刷動作の開始前に上記自動原稿供給装置に原稿がセットされたときに、上記自動復帰モード又は上記手動復帰モードの選択を促すことを特徴とする、請求項７、８又は９記載の孔版印刷装置。
【請求項１１】
孔版印刷装置に設けられた操作部材、又は孔版印刷装置に接続された外部機器により、上記自動復帰モード又は上記手動復帰モードの選択と、上記手動復帰モードが選択された場合において製版・印刷動作中にエラーが発生したときのエラー解除後の動作の指示との少なくとも一方を行うことができることを特徴とする、請求項７乃至１０のいずれか一つに記載の孔版印刷装置。
【発明の詳細な説明】
【０００１】
【発明の属する技術分野】
本発明は、孔版印刷装置に関し、詳しくは、製版・印刷動作を連続して行うことができる孔版印刷装置に関する。
【０００２】
【従来の技術】
従来、原稿画像読取手段に原稿を１枚ずつ自動供給する自動原稿供給装置（ＡＤＦ）を備え、複数枚の原稿を用いて製版・印刷動作を連続的に行うことができる孔版印刷装置が提案されている（例えば、特許文献１参照）。
【０００３】
特許文献１には、自動原稿供給装置を備えた孔版印刷装置において、排版収納部に送り込んだ孔版原紙が所定枚数を越え、収納部が満杯になりそうなときには、排版動作を禁止することが開示されている。
【０００４】
特許文献２には、印刷処理の途中に製版キーが押された場合に、まず注意を喚起し、再度、製版キーが押された場合に製版動作を実行し、製版キーの誤操作による動作時間の無駄及びマスタの無駄を防止するようにした印刷装置が開示されている。
【０００５】
特許文献３には、消耗品の消耗の程度に応じて、印刷を途中で中断することを防止できるような運転モード、あるいは、印刷が途中で中断してもその後の手当てを的確にできるような運転モードを、ユーザーが選択することが可能である孔版印刷装置及び孔版印刷システムが開示されている。
【０００６】
【特許文献１】
特開平７−１３２６７０号公報
【特許文献２】
特開平１１−２４０２３８号公報
【特許文献３】
特開２００２−２１１０９４号公報
【０００７】
【発明が解決しようとする課題】
上記のように自動供給装置を備え複数枚の原稿について製版・印刷を連続的に行う孔版印刷装置の場合、一旦、製版・印刷動作を開始すると、エラーが発生するなどの不測の場合を除いては、途中で中断することなく、設定した所定枚数の印刷が完了するまで、一連の製版・印刷動作を自動的に実行する。
【０００８】
しかし、場合によっては、１版を製版するたびに印刷イメージを確認し、その状況に応じて、次に行うべき動作種別を選択することが必要となることも考えられる。例えば、孔版原紙の耐刷性などの対応を目的とした再製版や、満足したイメージが得られない場合の再製版（追加製版）などである。
【０００９】
また、従来、製版・印刷時に用紙ジャムなどのエラーが発生した場合、エラー解除後においては、状況にかかわらず、予め決められた一連のリカバリー動作を自動的に行うため、ユーザーには、次に行うべき動作種別を選択できる余地がなかった。
【００１０】
したがって、本発明が解決しようとする技術的課題は、多様なユーザーのニーズに対応することができ、ユーザーにとって使いやすい孔版印刷装置を提供することである。
【００１１】
【課題を解決するための手段】
本発明は、上記技術的課題を解決するために、以下の構成の孔版印刷装置を提供する。
【００１２】
孔版印刷装置は、複数の画像情報の製版・印刷動作を連続して行う連続モードで作動させることができるタイプのものである。孔版印刷装置は、予め決めた工程終了後に、製版・印刷動作を中断し、次の動作の指示を待つ中断モードで作動させることも選択可能である。
【００１３】
上記構成において、連続モードでは、画像情報の読み取り、製版、版胴への孔版原紙の装着（給版）、所定枚数の印刷、版胴からの孔版原紙の取り外し（排版）という一連の製版・印刷動作を、各画像情報について自動的に連続して行う。一方、中断モードでは、製版・印刷動作は、所定工程終了後に中断し、次の動作の指示を待つ。これによって、ユーザーはそれまでの動作の結果を確認した後に、次の適切な動作を実行させることができる。例えば、印刷結果を見て、製版をやり直すなど、柔軟な操作が可能となる。
【００１４】
上記構成によれば、孔版印刷装置は、連続モードだけでなく、中断モードで作動させることもできる。
【００１５】
したがって、多様なユーザーのニーズに対応することができ、ユーザーにとって使いやすい孔版印刷装置を提供することができる。
【００１６】
好ましくは、上記中断モードが選択された場合、各画像情報の所定枚数の印刷が完了するたびに、製版・印刷動作を中断し、次の動作の指示を待つ。
【００１７】
上記構成によれば、例えば、印刷結果を見て、同じ版を用いてさらに印刷させたり、同じ画像情報又は次の画像情報の製版・印刷動作に移行させるなどの動作の指示ができ、次の動作を指示するタイミングとして好適である。
【００１８】
好ましくは、上記中断モードが選択された場合、製版・印刷動作を中断したときの次の動作の指示は、表示された複数の動作から選択することにより行う。
【００１９】
上記構成によれば、中断モードにおける次の動作の指示は、ユーザーにとって簡単な操作とすることができる。
【００２０】
好ましくは、上記中断モードが選択された場合、製版・印刷動作を中断したときの次の動作として指示可能な動作は、所定枚数の印刷が完了した当該画像情報について、もう一度、製版・印刷動作を行う再製版・印刷動作と、当該画像情報の次の画像情報について、製版・印刷動作を行う継続動作と、当該画像情報について、さらに印刷動作を行う追加印刷動作と、すべての画像情報について製版・印刷動作を止める終了動作との少なくとも一つを含む。
【００２１】
好ましくは、画像情報を生成する原稿読取手段に原稿を１枚ずつ供給する自動原稿供給装置を備える。孔版印刷装置は、製版・印刷動作の開始前に上記自動原稿供給装置に原稿がセットされたときに、上記連続モード又は上記中断モードの選択を促す。
【００２２】
一般に、複数枚の原稿の製版・印刷を行うときに自動原稿供給装置を用いるので、上記構成によれば、連続モード又は中断モードの選択操作のタイミングとして好適である。
【００２３】
好ましくは、孔版印刷装置に設けられた操作部材、又は孔版印刷装置に接続された外部機器により、上記連続モード又は上記中断モードの選択と、上記中断モードが選択された場合において製版・印刷動作を中断したときの次の動作の指示との少なくとも一方を行うことができる。
【００２４】
上記構成によれば、ユーザーは、操作部材又は外部機器を用いて、孔版印刷装置を操作することができる。
【００２５】
また、本発明は、以下の構成の孔版印刷装置を提供する。
【００２６】
孔版印刷装置は、複数の画像情報の製版・印刷動作を連続して行うことができるタイプのものである。孔版印刷装置は、製版・印刷動作中にエラーが発生したときには動作を中断し、そのエラーの解除後は予め決めた所定の動作を行う自動復帰モード、又は製版・印刷動作中にエラーが発生したときには動作を中断し、そのエラーの解除後の動作の指示を待つ手動復帰モードで、選択的に作動させることが可能である。
【００２７】
上記構成において、孔版印刷装置は、自動復帰モードでは、例えば用紙ジャム（搬送経路における用紙の詰まり）等のエラーが発生したときに、その用紙が取り除かれる等、エラーが解除された後に、印刷の再開など、予め決められた所定の動作を自動的に行う。エラー解除後の動作は、エラーの種類ごとに異なる動作を予め決めておいてもよい。
【００２８】
一方、手動復帰モードでは、エラー解除後の動作は、毎回、ユーザーからの動作の指示を受け、その指示に従う。これによって、ユーザーは、エラーの発生状況を確認した後に、次の適切な動作を実行させることができる。例えば、印刷を継続したり、製版をやり直すなど、種々のエラー対処が可能となる。
【００２９】
上記構成によれば、孔版印刷装置は、自動復帰モードだけでなく、手動復帰モードで作動させることもできる。
【００３０】
したがって、多様なユーザーのニーズに対応することができ、ユーザーにとって使いやすい孔版印刷装置を提供することができる。
【００３１】
好ましくは、上記手動復帰モードが選択された場合、エラー解除後の動作の指示は、表示された複数の動作から選択することにより行う。
【００３２】
上記構成によれば、手動復帰モードにおけるエラー解除後の動作の指示は、ユーザーにとって簡単な操作とすることができる。
【００３３】
好ましくは、上記手動復帰モードが選択された場合、エラー解除後の動作として指示可能な動作は、エラー発生時の画像情報について、もう一度、製版・印刷動作を行い、その後、残りの画像情報についても製版・印刷動作を行うリピート動作と、エラー発生時の画像情報についての製版・印刷動作を止め、残りの画像情報について製版・印刷動作を行うスキップ動作と、エラー発生時の画像情報について、そのままの版で印刷動作を行い、その後、残りの画像情報について製版・印刷動作を行う継続動作と、すべての画像情報について製版・印刷動作を止める終了動作との少なくとも一つを含む。
【００３４】
好ましくは、画像情報を生成する原稿読取手段に原稿を１枚ずつ供給する自動原稿供給装置を備える。孔版印刷装置は、製版・印刷動作の開始前に上記自動原稿供給装置に原稿がセットされたときに、上記自動復帰モード又は上記手動復帰モードの選択を促す。
【００３５】
一般に、複数枚の原稿の製版・印刷を行うときに自動原稿供給装置を用いるので、上記構成によれば、自動復帰モード又は手動復帰モードの選択操作のタイミングとして好適である。
【００３６】
好ましくは、孔版印刷装置に設けられた操作部材、又は孔版印刷装置に接続された外部機器により、上記自動復帰モード又は上記手動復帰モードの選択と、上記手動復帰モードが選択された場合において製版・印刷動作中にエラーが発生したときのエラー解除後の動作の指示との少なくとも一方を行うことができる。
【００３７】
【発明の実施の形態】
以下、本発明の実施の形態として実施例を図１〜図１０に基づいて説明する。
【００３８】
図１の構成図に模式的に示すように、孔版印刷装置１０は、画像読取部２０、製版給版部３０、排版部４０、給紙台部５０、印刷ドラム部６０、排紙部８０、排紙台部７０などの機構部を有する。
【００３９】
画像読取部２０は、自動原稿供給装置２３が内蔵された原稿押さえ板２２が、装置本体１２に固定された原稿台２４に、開閉自在に支持されている。原稿台２４内には、原稿台ガラス２５を通して原稿画像を読み取るため、照明用の原稿ランプ２６、光路折り曲げ用のミラー２７、ＣＣＤ（受光素子）２８などが配置されている。照明ランプ２６及びミラー２７は、原稿台ガラス２５上に置かれた原稿を読み取るときには、不図示の駆動装置により、光路長を一定に保ちながら移動する。自動原稿供給装置２３を用いる場合には、照明ランプ２６及びミラー２７が図示した所定位置に静止した状態で、原稿画像を読み取る。
【００４０】
製版給版部３０は、ロール状の孔版原紙３２を、サーマルヘッド３４で加熱穿孔して製版した後、所定寸法に切断して、印刷ドラム部６０の印刷ドラム６２に装着する。
【００４１】
印刷ドラム部６０は、印刷ドラム６２と、印刷ドラム６２の内周面にインクを塗布するためのインク供給機構（インクローラ６４など）とを備え、装置本体１２に着脱できるように一体的に構成されている。
【００４２】
排版部４０は、印刷ドラム６２に装着された孔版原紙を剥がし、排版ロール４２として巻き上げる。
【００４３】
給紙台部５０は、給紙台５４に載置された用紙５２を、給紙ローラ５６及びさばき板５８により、上から１枚ずつ分離する。
【００４４】
分離された用紙は、装置本体１２内のフィードローラ対１３，１４により、所定のタイミングで印刷ドラム６２の下に送られ、プレスローラ１５によって印刷ドラム６２側に押圧され、印刷される。印刷された用紙は、排紙部８０から排紙台部７０へ搬送される。
【００４５】
排紙部８０は、排紙ベルト８２とファンユニット８４とを備える。排紙ベルト８２は、上側部分が用紙搬送経路に沿って移動するように循環する。排紙ベルト８２には多数の貫通孔（図示せず）が形成され、排紙ベルト８２の下方には、空気を吸引するファンユニット１９が配置されている。ファンユニット１９の吸引により、排紙ベルト８２の貫通孔を介して、印刷された用紙を排紙ベルト８２に吸着する。吸着された用紙は、排紙ベルト８２の循環に伴って、紙受台部７０へ搬送される。
【００４６】
排紙部８０の上方には、印刷された用紙が印刷ドラム６２（厳密には、印刷ドラム６２に装着された孔版原紙）から剥がれるのを促進するために、用紙に引っ掛かる紙剥がし爪１６や、印刷ドラム６２と用紙との間に空気を吹き付ける剥離ファン１７が設けられている。
【００４７】
排紙台部７０は、装置本体１２から排出された用紙を紙受台７２上の所定位置に揃えて載置するために、用紙先端に当接する止めガイド板７６と、用紙両側を揃える一対の幅ガイド板７４とを備える。ガイド板７４，７６は、用紙に対して接離する方向に往復移動し、排紙ベルト８２から排出された用紙を用紙寸法に対応する位置に移動させ、排紙台７２上に整列して積載されるようにする。
【００４８】
図２は、孔版印刷装置１０の制御系の主要部分のブロック図である。制御を統括するＣＰＵ１００には、操作パネル１１０と、制御プログラムなどを記録したＲＯＭ１０２と、データを一時的に記録するＲＡＭ１０４と、製版給版部３０及び排版部４０の製版・給排版部機構部１２０と、給紙台５０、印刷ドラム部６０、排紙部８０及び排紙台部７０の印刷機構部１３０と、画像読取部２０のスキャナ機構部１４０と、製版に用いる画像データなどを一時的に記憶する画像メモリ１５０と接続されている。スキャナ機構部１４０には、自動原稿供給装置２３の原稿検知センサ１４２が接続されている。
【００４９】
ＣＰＵ１００は、所定のプログラムに従って、孔版印刷装置１０の動作を制御する。例えば、ＣＰＵ１００は、ユーザーによるモード設定操作や、動作指示操作に従って、製版・印刷動作の開始、中断や再開、終了などの制御を行う。
【００５０】
操作パネル１１０には、いずれも図示していないが、液晶パネルなどの表示部と、押し釦（例えば、製版キー、選択キー、決定キー）などの操作部材とが配置されている。表示部には、例えば選択可能な項目が表示され、ユーザーに操作を促す。ユーザーは、表示部の表示を見ながら操作部材を操作することにより、原稿サイズ、印刷枚数、印刷速度などのデータの設定や、モードの選択、次の動作の指示などを行うことができる。
【００５１】
画像メモリ１５０は、例えばフラッシュメモリやハードディスクなど、不揮発性の記録媒体を用いて構成する。画像メモリ１５０には、原稿をスキャナ機構部２４で読み取った原稿画像データや、外部機器２００から送信された原稿画像データなど、製版に用いるためのデータが一時的に格納される。また、再製版に利用できるように、製版給版部３０が製版のために用いた製版用データ（サーマルヘッド３４の制御用データ）も一時的に格納される。
【００５２】
画像メモリ１５０は、原稿画像データや孔版印刷装置１０の設定データなどが格納されたＰＣカード１５４が装着されるインターフェース１５２と、外部機器２００と接続するためのインターフェース１５６と接続されている。
【００５３】
外部機器２００は、例えば、有線又は無線により、直接又はＬＡＮ等のネットワークを介して、孔版印刷装置１０と接続される。外部機器２００は、ホスト機（例えばパソコン本体）２１０と、モニタ２１２と、孔版印刷装置１０のインターフェース１５６と接続するためのインターフェース２０２とを含む。
【００５４】
外部機器２００と孔版印刷装置１０とが接続されたとき、ユーザーは、モニタ２１２の表示を見ながら、例えばキーボードやマウスを操作して、ホスト機２１０から、孔版印刷装置１０に対して、原稿サイズ、印刷枚数、印刷速度などのデータの設定や、動作モードの選択、次の動作の指示などを行うことができる。
【００５５】
孔版印刷装置１０は、所定の操作により、自動原稿供給装置２３にセットされた複数の原稿を順次読み取り、製版・印刷動作を自動的に連続して行うことができる。つまり、孔版印刷装置１０は、通常動作モードでは、「製版／印刷  動作」及び「エラー処理動作」は、自動的、連続的に行う。しかし、以下のようにモード設定することにより、１原稿の製版・印刷動作が完了するたびに次の動作を個別に指示できるようにしたり、エラー発生後の動作をエラー発生のたびに個別に指示できるようにすることも可能である。
【００５６】
次に、図３〜図１０を参照しながら、製版・印刷動作の前に行うモード設定操作や、製版・印刷動作の中断時に次の動作を指示する操作について説明する。
【００５７】
１原稿の製版・印刷動作が完了するたびに、次の動作を個別に指示できるようにする場合について、図３〜図６を参照しながら説明する。
【００５８】
ＣＰＵ１００は、原稿検知センサ１４２により、自動原稿供給装置２３に原稿がセットされたことを検知すると、操作パネル１１０の表示部に、例えば図３に示す画面３００を表示させ、ユーザーに、通常動作モード（すなわち、「連続モード」及び「自動復帰モード」に相当する）又は特殊動作モード（「中断モード」又は「自動復帰モード」に相当する）の選択を促す。このとき、操作パネル１１０の選択キーを押すごとに、通常動作モードの表示３０２と特殊動作モードの表示３０４とが交互に反転する。図３は、特殊動作モードが選択されたときの画面表示である。
【００５９】
特殊動作モードを選択した状態で、操作パネル１１０の決定キーを押せば、次に特殊動作モード設定を行うことができる。
【００６０】
すなわち、操作パネル１１０の選択キーを操作することにより、通常モード又はエラーモードを選択する。このとき、操作パネル１１０の表示部には、例えば図４に示す画面４００が表示され、選択キーを押すごとに、通常モードの表示４０２とエラーモードの表示４０４とが交互に反転する。図４は、エラーモードが選択されたときの画面表示である。
【００６１】
通常モードを選択した状態で、操作パネル１１０の決定キーを押せば、次に通常モード設定を行う。
【００６２】
すなわち、操作パネル１１０の選択キーを操作することにより、オートモード（「連続モード」に相当する）又はマニュアルモード（「中断モード」に相当する）を選択する。このとき、操作パネル１１０の表示部には、例えば図５に示す画面５００が表示され、選択キーを押すごとに、オートモードの表示５０２とマニュアルモードの表示５０４とが交互に反転する。図５は、マニュアルモードが選択されたときの画面表示である。
【００６３】
オートモード又はマニュアルモードを選択した状態で、操作パネル１１０の決定キーを押せば、選択したオートモード又はマニュアルモードに設定することができる。
【００６４】
マニュアルモードに設定した後、操作パネル１１０から印刷枚数などの所定のデータを入力して製版キーを押すと、孔版印刷装置１０は、製版・印刷動作を開始する。ＣＰＵ１００は、製版・印刷動作開始後は、１原稿の製版・印刷動作が完了するごとに、動作を一旦中断させ、操作パネル１１０に、例えば図６に示す画面６００を表示させ、ユーザーに対して次の動作の指示を促す。ユーザーは、操作パネル１１０の選択キーを操作することにより、次の４つの動作の表示６０２，６０４，６０６，６０８から、一つの動作を選択することができる。
（１）次の原稿を読み込んで製版した後、製版・印刷動作を行う「次ページ製版」（「継続動作」に相当する）
（２）もう一度同じ原稿について製版を行い、製版・印刷動作を行う「同ページ再製版」（「再製版・印刷動作」に相当する）
（３）同じ孔版原紙を用いてさらに印刷を行う「印刷」（「追加印刷動作」に相当する）
（４）すべての原稿について製版・印刷動作を止める「終了」（「終了動作」に相当する）
【００６５】
すなわち、選択キーを押すたびに、次ページ製版、同ページ再製版、印刷、又は終了の各動作の表示６０２，６０４，６０６，６０８が順に反転する。図６は、次ページ製版が選択されたときの画面表示である。決定キーを押すことにより、選択した動作が実行される。
【００６６】
次に、図７〜図１０を参照しながら、エラー発生後の動作をエラー発生のたびに個別に指示できるようにする場合について説明する。
【００６７】
上記と同様に、自動原稿供給装置２３に原稿をセットした後、図７に示すように特殊動作モードを選択し、決定キーを押す。次に、図８に示すように、特殊動作モード設定においてエラーモードを選択した後、決定キーを押す。
【００６８】
そして、図９に示すようにエラーモード設定においてマニュアルモード（「手動復帰モード」に相当する）を選択した後、決定キーを押す。
【００６９】
すなわち、操作パネル１１０の選択キーを操作することにより、オートモード（「自動復帰モード」に相当する）又はマニュアルモード（「手動復帰モード」に相当する）を選択する。このとき、画面７００には、オートモードの表示７０２とマニュアルモードの表示７０４とが表示され、選択キーを押すごとに、表示が交互に反転する。図９は、マニュアルモードが選択されたときの画面表示である。
【００７０】
オートモード（「自動復帰モード」に相当する）を設定すると、エラー処理後（エラー解除後）、自動的に製版・印刷動作を継続する。例えば、切断した孔版原紙が版胴に適切に装着されないマスタセットミスなどの製版時のエラーの場合、ユーザーが孔版原紙を版胴から取り除くなどのエラー処理後（エラー解除後）、自動的に同じ画像情報に対して製版・印刷動作を継続する。又、用紙ジャムのような印刷時のエラーの場合、ユーザーが詰まった用紙を取り除くなどのエラー処理後（エラー解除後）、自動的に残りの設定枚数分の印刷動作を継続する。（用紙ジャム時の枚数はカウントダウンされていない。
【００７１】
マニュアルモードを設定すると、ＣＰＵ１００は、製版・印刷動作開始後は、エラー発生ごとに、エラー処理後（エラー解除後）、図１０に示すマニュアルモード設定の画面８００を、操作パネル１１０の表示部に表示させ、次の動作の指示を促す。ユーザーは、操作パネル１１０の選択キーを操作して、次の４つの動作の表示８０２，８０４，８０６，８０８から一つを選択することにより、エラー解除後の動作を指示できる。
（１）次の原稿について製版を行い、製版・印刷動作を継続する次ページ製版（「スキップ動作」に相当する）
（２）同じ原稿について再製版し、新しい孔版原紙を用いて製版・印刷動作を継続する同ページ再製版（「リピート動作」に相当する）
（３）孔版原紙はそのままで製版・印刷動作を継続する印刷（「継続動作」に相当する）
（４）すべての原稿について製版・印刷動作を止める終了（「終了動作」に相当する）
【００７２】
図１０は、次ページ製版が選択されたときの画面表示である。
【００７３】
以上説明したように、孔版印刷装置１０は、種々のモード設定が可能であり、多様なユーザーのニーズに対応することができ、ユーザーにとって使いやすい。
【００７４】
なお、本発明は上記実施例に限定されるものではなく、その他種々の態様で実施可能である。
【００７５】
例えば、操作パネル１１０からモード設定や動作指示などの操作をする代わりに、外部機器２００から操作するようにしてもよい。また、製版のための画像は、ＰＣカード１５４や外部機器２００から孔版印刷装置１０に与えるようにしてもよい。また、モード設定の操作タイミングは適宜に決めればよく、例えば製版キーを押した直後に行うようにしてもよい。
【００７６】
さらには、モード設定操作は、要すれば行うことができる操作としてもよい。この場合、モード設定操作が行われないときには、例えば、連続モード及び自動復帰モードに設定されているものとみなして、孔版印刷装置の制御を行うようにする。
【図面の簡単な説明】
【図１】本発明の実施例を示す孔版印刷装置の構成図である。
【図２】本装置のブロック図である。
【図３】モード設定時の画面表示である。
【図４】モード設定時の画面表示である。
【図５】モード設定時の画面表示である。
【図６】モード設定時の画面表示である。
【図７】モード設定時の画面表示である。
【図８】モード設定時の画面表示である。
【図９】モード設定時の画面表示である。
【図１０】モード設定時の画面表示である。
【符号の説明】
１０  孔版印刷装置
２３  自動原稿供給装置
１４０  スキャナ機構部（画像読取手段）
【図１】
2004195683.tif 000003
【図２】
2004195683.tif 000004
【図３】
2004195683.tif 000005
【図４】
2004195683.tif 000006
【図５】
2004195683.tif 000007
【図６】
2004195683.tif 000008
【図７】
2004195683.tif 000009
【図８】
2004195683.tif 000010
【図９】
2004195683.tif 000011
【図１０】
2004195683.tif 000012